(57)【要約】【課題】  簡単に製造することができ、また申し込みにおける記入した面を破壊することなく、記載内容を正確に確認でき、実用上問題のない申し込み封書を提供する。【解決手段】  申し込み紙片の中央に設けた折り目で、二つ折り可能にした申し込み封書において、該申し込み紙片が折り目を中央にして、左本体部と右本体部からなり、少なくとも一方の本体部の３辺の周縁部に糊代を設け、かつ該糊代の領域と接した内側の位置に、コの字型に剥離層を設けた構成とした。これにより、上記の課題を解決することができた。また、上記構成に加えて、申し込み紙片を二つ折りにして、前記剥離層と対向する部分の本体部に、剥離層を設けた構成、また前記糊代のコーナー部分に、更に剥離層を設けた構成、また左本体部と右本体部の少なくとも一部に記入欄を設け、該記入欄には剥離層が設けられていない構成をとることができる。【選択図】      図１
2010194909.tif 000002
【特許請求の範囲】
【請求項１】
申し込み紙片の中央に設けた折り目で、二つ折り可能にした申し込み封書において、該申し込み紙片が折り目を中央にして、左本体部と右本体部からなり、少なくとも一方の本体部の３辺の周縁部に糊代を設け、かつ該糊代の領域と接した内側の位置に、コの字型に剥離層を設けたことを特徴とする申し込み封書。
【請求項２】
請求項１に記載する申し込み封書において、申し込み紙片を二つ折りにして、前記剥離層と対向する部分の本体部に、剥離層を設けたことを特徴とする申し込み封書。
【請求項３】
請求項１または２に記載する申し込み封書において、前記糊代のコーナー部分に、更に剥離層を設けたことを特徴とする申し込み封書。
【請求項４】
請求項１〜３の何れかに記載する申し込み封書において、左本体部と右本体部の少なくとも一部に記入欄を設け、該記入欄には剥離層が設けられていないことを特徴とする申し込み封書。
【請求項５】
請求項１〜４の何れかに記載する申し込み封書において、該封書の申し込み紙片の表及び、または裏の一端で、付属片を剥離可能に接着したことを特徴とする申し込み封書。
【発明の詳細な説明】
【技術分野】
【０００１】
本発明は簡単に製造することができ、また申し込みにおける記入した面を破壊することなく、記載内容を正確に確認でき、実用上問題のない申し込み封書に関するものである。
【背景技術】
【０００２】
従来の申し込み封書は、例えば、特許文献１に示される控え部２０と、郵送される郵送部１０とが一枚の郵送用シートとなっていて、郵送部１０は、郵送物の表となる表シート部１１と、郵送物の裏となる裏シート部１２と、これらの間に封入される複数の封入シート部１３，１４とからなる。表シート部１１と裏シート部１２とは、その上下側縁部で接着されている。また、封入シート部１３，１４は、表シート部１１と裏シート部１２より上下幅が狭く、上下側縁部が表シート部１１及び裏シート部１２に接着されないようになっている。そして、封入シート部１３，１４が表シート部１１と裏シート部１２との間に封入されている。
【０００３】
上記の申し込み封書では、表シート部と裏シート部を接着部により接着して、封入シートを封書（郵送用シート）の中に収納しているが、接着部は予め両面接着テープを貼っておくものであり、またそのテープ貼り作業は専用機で行なう必要があり、製造上、非常に手間がかかり、問題である。
【０００４】
また、従来の申し込み封書として、特許文献２に示されるものが挙げられる。これでは、封筒紙片と案内紙片とが切り離し可能に連接された申込書（申し込み封書）であって、封筒紙片が封筒表紙片と封筒裏紙片とからなり、封筒表紙片の３辺が糊代片とされ、封筒表紙片の内面は記入例表示面とされ、封筒表紙片の外面は封書宛名面とされた構成からなる申込書が示されている。
【０００５】
上記申し込み封書では、糊代片に、手で接着剤を塗布して接着させるもので、接着剤が糊代片からはみ出して塗られる場合が多く、封筒表紙片の記入例表示面と、封筒裏紙片とが、接着剤で接着して、封書を開封する際、重要な記入した面が破れてしまったりして、記入した内容が分からないという問題が生じてしまうことがあった。
【先行技術文献】
【特許文献】
【０００６】
【特許文献１】特開２００１−３４１４７２号公報
【特許文献２】特開平１０−２５８５９４号公報
【発明の概要】
【発明が解決しようとする課題】
【０００７】
したがって、本発明は上記に挙げた課題である、簡単に製造することができ、また申し込みにおける記入した面を破壊することなく、記載内容を正確に確認でき、実用上問題のない申し込み封書を提供することを目的とする。
【課題を解決するための手段】
【０００８】
本発明は、請求項１として、申し込み紙片の中央に設けた折り目で、二つ折り可能にした申し込み封書において、該申し込み紙片が折り目を中央にして、左本体部と右本体部からなり、少なくとも一方の本体部の３辺の周縁部に糊代を設け、かつ該糊代の領域と接した内側の位置に、コの字型に剥離層を設けたことを特徴とする申し込み封書を構成とする。上記の糊代を設け、具体的には、糊代の位置を印刷等で明示して、また剥離層を所定の領域に形成するだけで、簡単に申し込み封書を製造することができた。また糊代部分に糊付けする際、糊代から糊がはみ出して、二つ折りして左本体部と右本体部とを接着しても、剥離層が糊代に隣接して設けてあるので、糊代以外の部分は接着しないので、封書の開封時、申し込みにおける記入した面を破壊することなく、記載内容を正確に確認できる。
【０００９】
また、請求項２として、請求項１に記載する申し込み封書において、申し込み紙片を二つ折りにして、前記剥離層と対向する部分の本体部に、剥離層を設けたことを特徴とする申し込み封書を構成とする。これにより、剥離層が糊代に隣接して設けてあり、申し込み紙片を二つ折りにして、前記剥離層と対向する部分の本体部に、剥離層を更に設けたので、糊代以外の部分は、より接着しないので、封書の開封時、申し込みにおける記入した面を全く破壊することなく、記載内容を正確に確認できる。請求項３として、請求項１または２に記載する申し込み封書において、前記糊代のコーナー部分に、更に剥離層を設けたことを特徴とする申し込み封書を構成とする。これにより、糊代の部分の糊で接着した封書を、開封する際、そのコーナー部分は、二つ折りされて重なった左本体部と右本体部とが、接着していないので、そのコーナー部分をきっかけにして、開封しやすくなっている。（糊代の部分の接着部分を剥がしやすくしている。）
【００１０】
請求項４として、請求項１〜３の何れかに記載する申し込み封書において、左本体部と右本体部の少なくとも一部に記入欄を設け、該記入欄には剥離層が設けられていないことを特徴とする申し込み封書を構成とする。これにより、申し込み者が、申し込み封書の記入欄に必要事項を記載する際、記載の時の筆記道具の種類に限定されないで、書きにくさや、記載部にハジキなどが生じないで、実用性の高いものとなる。
【００１１】
また、請求項５として、請求項１〜４の何れかに記載する申し込み封書において、該封書の申し込み紙片の表及び、または裏の一端で、付属片を剥離可能に接着したことを特徴とする申し込み封書を構成とする。これにより、例えば、付属片が申し込みにおける案内書であれば、申し込みの際に詳しい案内が簡単に参照できる。また付属片が、申し込みの記入欄の控え用紙（複写用紙）とすれば、申し込みした記載内容をコピーすることや、手書きで転記することなく、記載内容そのものを控えとして、保管することができ、利便性の高いものとなる。
【発明の効果】
【００１２】
本発明は、上記の構成の申し込み封書とすることにより、申し込み紙片の中央に設けた折り目で、申し込み紙片を二つ折りにして、左本体部と右本体部とが、周縁部の糊代の部分に塗られた糊によって接着し、封書として郵送できる形態となる。その際に、本体部の３辺が糊代の部分の糊で接着した封書であり、本体部に記載した申し込み内容を確実に隠蔽した状態で、郵送先に送付することができる。
【００１３】
また、糊代部分に糊付けする際、糊代から糊がはみ出して、二つ折りして左本体部と右本体部とを接着しても、剥離層が糊代に隣接して設けてあるので、糊代以外の部分は接着せず、封書の開封時、申し込みにおける記入した面を破壊することなく、記載内容を正確に確認でき、実用上問題はない。つまり、糊代の部分が、明示されていて、申込者が、その糊代に糊を塗って、二つ折りして、左本体部と右本体部とを接着するだけで、簡単に申し込み封書として、郵送することができる。そして、郵送先では、その申し込み封書を開封して、申し込みにおける記入欄が破られていないので、記載された内容を正確に確認することができる。
【００１４】
申し込み封書において、糊代のコーナー部分に、更に剥離層を設けることにより、糊代の部分の糊で接着した封書を、開封する際、そのコーナー部分は、二つ折りされて重なった左本体部と右本体部とが、接着していないので、そのコーナー部分をきっかけにして、開封しやすく、作業性が良い。また申し込み封書において、左本体部と右本体部の少なくとも一部に記入欄が設けてあり、該記入欄には剥離層が設けられていないことが好ましい。これにより、申し込み者が、申し込み封書の記入欄に必要事項を記載する際、記載の時の筆記道具の種類に限定されないで、書きにくさや、記載部にハジキなどが生じなく、また封書を開封して中味を確認する際、その記入欄が破れることがないので、記入した内容が分からないという問題がない。
【図面の簡単な説明】
【００１５】
【図１】本発明の申し込み封書の実施例１を示す概略の平面図である。
【図２】実施例１の申し込み封書の長尺の連続フォームを説明する概略の平面図である。
【図３】本発明の申し込み封書の実施例２を示す概略の平面図である。
【図４】本発明の申し込み封書の実施例３を示す概略の説明図である。
【発明を実施するための形態】
【００１６】
本発明は、簡単に製造することができ、また申し込みにおける記入した面を破壊することなく、記載内容を正確に確認でき、実用上問題がないという目的を、以下の申し込み封書の具体的な構成である実施例を挙げて、詳細に説明する。
【実施例】
【００１７】
（実施例１）
図１は、本発明の申し込み封書１の実施例１を示す概略の平面図である。図１は、申し込み紙片２の中央に設けた折り目５で、二つ折り可能にした申し込み封書１であり、該申し込み紙片２が折り目５を中央にして、左本体部３と右本体部４とからなり、右本体部４の３辺の周縁部に、「斜線の部分に、糊を塗って、折り目で二つ折りして接着して下さい。」と印刷して、糊代６があることを明示した。さらに、該糊代６の領域と接した内側の位置に、コの字型に剥離層７を設け、また申し込み紙片２を二つ折りにして、前記剥離層７と対向する部分の左本体部３に、剥離層８を設けた構成である。尚、実施例１では、申し込み紙片２を二つ折りにして、剥離層７と対向する部分の左本体部３に、剥離層８を設けた例を示したが、実施例１の形態で、剥離層８のみ除いて、他は実施例１の通りである申し込み封書にしたものでも実用できる。
【００１８】
図２に、上記の実施例１の申し込み封書の長尺の連続フォームを示した。折り目５が連続となり、折り目５の方向にそのフォームが連続した形態で、申し込み封書１の下辺が、その申し込み封書１の下に隣接した申し込み封書１０の上辺になるように、連続フォームが、切断線９の位置で切断されて、多数の申し込み封書が製造される。糊代６の部分は、図示したように、右端の縦方向の糊代部分１１が、連続して形成され、横方向の糊代部分１２は、申し込み封書の長さの間隔（ｍ）で、繰り返し形成される。また、剥離層７及び剥離層８は、両者のコ字型の開口された端同士がつながって、連続である四方形の形状となる。このように、糊代の位置を印刷等で明示して、また剥離層を所定の領域に形成し、長尺の連続フォームを所定の位置で切断するだけで、簡単に多数の申し込み封書を製造することができた。
【００１９】
また、実施例１における申し込み封書は、糊代に糊を塗って、折り目で二つ折りして接着して封書を作成後、開封してみたところ、剥離層７、８に囲まれた領域（申し込みにおける記入した面）を破壊することがなかった。そして、記入面に記載した内容を正確に確認でき、実用上問題のないものであった。上記の糊代の部分で接着された封書を開封する作業は、具体的には、糊代の内側に沿って、ハサミで切断して開封した。この開封は、ハサミで切断するだけでなく、封書の切断する箇所を数回折り、また折り返した後に、手切りすることも可能である。また、糊代の接着部分を、左本体部と右本体部とを分離させるように、手で剥がすことも可能である。
【００２０】
（実施例２）
図３は、本発明の申し込み封書１の実施例２を示す概略の平面図である。図３は、申し込み紙片２の中央に設けた折り目５で、二つ折り可能にした申し込み封書１であり、該申し込み紙片２が折り目５を中央にして、左本体部３と右本体部４とからなり、右本体部４の３辺の周縁部に、「斜線の部分に、糊を塗って、折り目で二つ折りして接着して下さい。」と印刷して、糊代６があることを明示した。さらに、該糊代６の領域と接した内側の位置に、コの字型に剥離層７を設け、また申し込み紙片２を二つ折りにして、前記剥離層７と対向する部分の左本体部３に、剥離層８を設けた。さらに、申し込みにおける対象者の住所、氏名、生年月日、連絡先の電話番号、申し込みが保険であり、加入保険の対象、内容を記入するための記入欄１３が、剥離層７、８で囲まれた領域内に、剥離層と重ならない位置に設けられている。また、図３の申し込み封書では、糊代６（右本体部４）のコーナー部分１６に剥離層１７を設けた。この剥離層１７の部分を含めて、糊代６に糊を塗って、左本体部と右本体部とを接着させても、そのコーナー部分１６は剥離層１７が存在しているので、接着しない。したがって、接着された封書は、そのコーナー部分をきっかけにして、左本体部と右本体部とを分離させるように、手で剥がす際に、開封しやすく、作業性が良いものであった。
【００２１】
実施例２で示した申し込み封書についても、実施例１と同様に、糊代の位置を印刷等で明示して、また剥離層を所定の領域に形成し、長尺の連続フォームを所定の位置で切断するだけで、簡単に多数の申し込み封書を製造することができる。さらに、実施例２における申し込み封書は、記入欄１３に必要な事項を記入した後、糊代に糊を塗って、折り目で二つ折りして接着して封書を作成し、投函した。その後、郵送先で、その封書を開封してみたところ、記入欄１３を破壊することがなく、記入欄に記載した内容を正確に確認でき、実用上問題のないものであった。また、申し込み封書の記入欄に必要事項を記載する際に、筆記道具の種類に限定されずに、書きにくさや、記載部にハジキなどが生じないで、実用性が高いものであった。
【００２２】
（実施例３）
図４は、本発明の申し込み封書１の実施例３を示す概略の説明図である。図４に示す申し込み封書１は、申し込み紙片２の裏の一端で、接着力の弱い接着剤１４により、付属片１５を剥離可能に接着したものである。この場合は、付属片１５の横幅が申し込み紙片２の横幅よりも大きい。この付属片１５は、案内書であり、申し込みの記入時の注意事項など、申し込みにおける詳しい案内が記載されていて、申込者が簡単に参照でき、非常に有用であった。また付属片で、申し込み紙片と重なる部分に、顕色剤を予め塗布しておき、対向する申し込み紙片には、発色剤が塗布された形態として、手書きの筆圧により、付属片の顕色剤を発色させて、申し込みの記入欄に記入された記録内容の控えとして利用することができる。これにより、申し込みした記載内容をコピーすることや、手書きで転記する手間がかからず、記載内容そのものを控えとして、保管することができ、利便性の高いものとなる。
【００２３】
図４に示したものに限らず、付属片の大きさは、申し込み紙片の大きさと同一にしたり、また付属片を申し込み紙片の表の一端で、剥離可能に接着したりする等、してもよい。さらに、付属片は、１枚に限らず、２枚以上を積層して、接着することも可能である。但し、申し込み封書として、糊代の部分に糊を塗って、二つ折りして接着する際には、付属片は全て、申し込み封書から剥離しておく必要がある。
【００２４】
以下、本発明の申し込み封書を構成する各層及び部位について、詳細に説明する。
（申し込み紙片）
申し込み紙片２として、上質紙、アート紙、コート紙、キャストコート紙、合成樹脂又はエマルジョン含浸紙、合成ゴムラテックス含浸紙、合成樹脂内添紙、セルロース繊維紙等を使用することができる。申し込み紙片の厚みは、通常３〜３００μｍ程度であり、本発明においては、折り適性、取扱い適性等を考慮し、２０〜１７５μｍ程度のものを用いるのが好ましい。
【００２５】
（折り目）
本発明で規定する折り目５は、申し込み紙片の中央に設けられたもので、その折り目の箇所で、申し込み紙片を二つ折りする場所のことである。この折り目は、申し込みを行なう対象の人に、明確に示すために、申し込み紙片の中央に、予め点線等のパターンで印刷し、あるいは筋押し加工を施し、かつ「折り目（谷折り）」のような表示を印刷で施しておくことが望ましい。
【００２６】
（糊代）
本発明で規定する糊代６は、申し込み紙片の左本体部と右本体部の周縁部を貼り合わせて接着させるとき、糊をつける部分のことである。この糊代は、糊付けを行なう人に、明確に示すために、その糊代の部分を、例えば斜線で示し、「斜線の部分に、糊を塗って、折り目で二つ折りして接着して下さい。」のような表示を印刷で施しておくことが望ましい。
【００２７】
（剥離層）
本発明の申し込み封書に設けられる剥離層７、８、１７としては、シリコーン樹脂やフッ素系樹脂、ポリエチレンワックス等の離型性樹脂を有機溶剤等により、溶解あるいは分散させた塗工液を用意し、フレキソ印刷、グラビア印刷等で基材上に、パターン上に形成することができる。また、紫外線硬化型インキにシリコーンオイルや、シリコーンアクリレートを添加して、凸版印刷やオフセット印刷により、申し込み紙片上に、パターン上に、剥離層を形成することができる。剥離層は、申し込み紙片の糊代に隣接し、また記入欄と重なった部分が生じないようにすれば、剥離層の上の筆記性を考慮する必要がない。しかし、印刷上、印刷位置のズレが生じる場合があり、剥離層と記入欄が重なっても、筆記する上で、書きにくさや、記載部にハジキなどが生じないように、剥離層を構成するインキ（紫外線硬化型インキなど）におけるにシリコーンオイルや、シリコーンアクリレート等の離型剤の含有量を、数％（３〜８％程度）にするなど、調整することが好ましい。このような剥離層の厚さとしては、通常は乾燥後の固形分で、０．５〜１０ｇ／ｍ2である。
【００２８】
（付属片）
本発明では、申し込み封書において、該封書の申し込み紙片の表及び、または裏の一端で、付属片１５を剥離可能に接着させることができる。この付属片としては、例えば、案内書、宣伝広告、申し込みの記入欄に記入した記録内容の控え等、適宜選択することができる。案内書の場合では、申し込みの記入時の注意事項など、申し込みにおける詳しい案内を印刷等で表示できる。また、申し込みの記入欄に記入した記録内容の控えとして利用する場合、発色剤と顕色剤を、上紙と下紙に予め塗工されたノーカーボン紙の複写用紙を用いる方式、あるいは、控えの用紙の裏面側にカーボン印刷して、手書きの筆圧で、そのカーボンが申し込み封書の記入欄に、転写して複写される方式等が採用できる。
【００２９】
本発明の申し込み封書の申し込み紙片における糊代、剥離層、記入欄が形成されている面および反対面には、図では示していないが、申し込み封書の申し込みの際の記入方法、折り目で二つ折りして、糊代に塗った糊により、申し込み紙片を接着させる方法など、申し込み封書の取り扱い上の説明等を印刷で形成することができる。また、糊代に塗られた糊で接着した封書は、封書の中にある記入欄の記載された内容は、隠蔽されるが、隠蔽を確実にするため、記入欄の相当する申し込み紙片の裏面に地紋印刷をして、封書を透かしても、記入された内容が判読できないようにすることができる。さらに、糊代に塗られた糊で接着した封書の形態で、その封書の送付先の住所、宛先などを申し込み紙片の裏面に印刷しておくことが好ましい。
【００３０】
また、申し込み封書を特定の個人に配布する場合、予めその対象者の個人情報を、熱転写記録や、インクジェット記録などのノンインパクト記録、あるいはドットインパクト記録等で、印字して形成しておくことができる。
【産業上の利用可能性】
【００３１】
本発明の申し込み封書は、各種保険の加入、各種サービスの会員の加入などの申し込みの際に、必要事項を記入して、申し込み先に封書として、郵送できるものである。
【符号の説明】
【００３２】
１、１０      申し込み封書
２      申し込み紙片
３      左本体部
４      右本体部
５      折り目
６      糊代
７、８      剥離層
９      切断線
１１      右端の縦方向の糊代部分
１２      横方向の糊代部分
１３      記入欄
１４      接着剤
１５      付属片
１６      コーナー部分
１７      剥離層
【図１】
2010194909.tif 000003
【図２】
2010194909.tif 000004
【図３】
2010194909.tif 000005
【図４】
2010194909.tif 000006